(57)【要約】【課題】  複数枚のパネルを連結して構成し、プランターを載せたり、フェンスとしたり、収納整理用等として機能するスタンドの提供。【解決手段】  パネル１は縦・横方向に配列した複数８，８・・の穴を有し、該パネル１の側端には継手９を取付け、該継手９の軸穴１５に軸パイプ１４を挿通することで隣り合うパネル１を連結すると共に、各パネル１，１・・は継手部３，３・・を中心としてその向きを自由に調整可能とし、そして上記継手９は丸環１０とその外方向へ延びるネジ１１を有し、パネル側端の縦方向に形成した細い溝１３にネジ１１を嵌めて螺合している。【選択図】    図１
2009285291.tif 000002
【特許請求の範囲】
【請求項１】
複数枚のパネルを連結して構成するスタンドであって、上記パネルは縦・横方向に配列した複数の穴を有し、該パネルの側端には継手を取付け、該継手の軸穴に軸棒又は軸パイプを挿通することで隣り合うパネルを連結すると共に、各パネルは継手部を中心としてその向きを自由に調整可能とし、そして上記継手は丸環とその外方向へ延びるネジを有し、パネル側端の縦方向に形成した細い溝にネジを嵌めて螺合したことを特徴とする複数枚のパネルで構成するスタンド。
【請求項２】
上記パネルは両竪框と上下横框で枠組みした枠体に複数本の縦格子桟及び複数本の横格子桟を備えた請求項１記載の複数枚のパネルで構成するスタンド。
【請求項３】
対向して配置した上記パネル間に棚板を掛架した請求項２記載の複数枚のパネルで構成するスタンド。
【請求項４】
上記棚板の両端に取付金具を固定し、この取付金具をパネルの横格子桟に係止して該棚板を取付けた請求項３記載の複数枚のパネルで構成するスタンド。
【発明の詳細な説明】
【技術分野】
【０００１】
本発明は、屋内外において設置することが出来、複数枚のパネルを連結して構成されるスタンドに関するものである。
【背景技術】
【０００２】
近年、家庭菜園が盛んに行われており、各種鉢植えを玄関や庭で育てている様子を見かけることが多い。ところで、家庭菜園を行うにはそれなりのスペースが必要となり、又作業する際の道具も必需品となるが、庭のないマンション等では、ベランダやテラス等が唯一のガーデンとなる。その為に、手摺りに沿ってプランターや植木鉢を並べたり、あるいは植木台を置いてその上にプランター等を載せるなどして、ガーデニングを楽しんでいる。
【０００３】
特開２００１−２２７０５５号に係る「プランター受台」は、プランターや植木鉢を複数個収容でき、そして軽量でありながら十分な強度を有するアルミニウム板材によって形成されたプランター受台である。
すなわち、横長状の前後側板部と底板部とからなるアルミニウム押出形材製の受台本体と、受台本体の両端小口を塞ぐように受台本体の両端部に取り付けられる左右一対のアルミニウム製の小口塞ぎ板とによって横長箱枠状に形成され、受台本体の各小口外周縁部には、受台本体側から小口塞ぎ板側に跨がって両者の接合部を覆うアルミニウム製の化粧縁枠部材が取り付けられている。
【０００４】
特開平８−１１７０３５号に係る「載置台体」は、シンプルでデザイン性及び生産性に優れ、かつ案内情報の伝達媒体を容易に組み込み可能とし、周辺の関連部材を容易に取付け可能な構造としている。
そこで、３つの各頂点に外方に向って開口する溝部を有する断面がほぼ三角形状の中空状の脚柱と、この脚柱の頂部に固定されるテーブル板とからなる。脚柱はアルミニウム合金製の押出形材にて形成され、脚柱の頂部に被着固定される蓋部材にビスをもってテーブル板を固定し、溝部内には必要に応じて溝カバー材を嵌挿固定することができる。これにより、脚柱の溝部及び側壁部に、例えば案内情報の伝達媒体を表示した案内部材やプランター受けや照明器具等の周辺の関連部材を容易に取付け可能としている。
【０００５】
特開平７−３１２９９０号に係る「プランター置台」は、任意幅のプランターをワンタッチでプランター置台に挟持固定することが出来るものである。
そこで、プランター挾み具は互に所定角度で曲った挟持杆と載置杆とからなる曲杆を前後一対組合わしてなり、この挾み具を左右一対設けてはね上り状態でかつ交叉した状態で左右両基台に軸支し、載置するプランターの荷重で任意幅のプランター両側を挾み具で挟持固定する。任意幅のプランターを台上へ載せるだけでワンタッチでプランター置台に挟持固定でき、安定姿勢が保持される。
【０００６】
このように、プランターを載せる為の台としては色々存在している。しかし、これら台はあくまでもプランター専用台であり、その用途は限られており、汎用性に欠ける。
【特許文献１】特開２００１−２２７０５５号に係る「プランター受台」
【特許文献２】特開平８−１１７０３５号に係る「載置台体」
【特許文献３】特開平７−３１２９９０号に係る「プランター置台」
【発明の開示】
【発明が解決しようとする課題】
【０００７】
このように、従来のプランター載置台は色々存在している。本発明が解決しようとする課題は、プランターの載置台はもとより、ディスプレイ用、収納整理用、インテリア用、物品の陳列用など、色々な用途として機能することが出来るように複数枚のパネルで構成するスタンドを提供する。
【課題を解決するための手段】
【０００８】
本発明に係るスタンドは複数枚のパネルを連結して構成している。ここで、上記パネルは四角形を成し、縦・横方向に貫通穴を配列している。この貫通穴の形状は特に限定せず、例えば角形としたり、丸形とすることが出来、本発明のスタンドはこの穴を利用して各種物品を引掛けて取付ける場合、又は載置する場合に用いる。
【０００９】
ところで、各パネルを連結する継手部は、その軸受けとして丸環を使用し、該丸環の一箇所には半径外方向へ延びるネジを有している。このネジをパネル側端に螺合して固定し、取着した複数の丸環に軸となる軸棒又は軸パイプが挿入されることで、該継手部を介して各パネルは互いに連結される。そして、継手部を中心としてその向きは自由に変えることが出来、又継手部を中心として複数枚のパネル連結を可能とする。さらに、各パネルは継手部を介して自由に延ばすことも出来る。
【発明の効果】
【００１０】
本発明のスタンドは、複数枚のパネルを継手部を介して連結した簡単な構造であり、素人であっても手軽に組立てることが出来る。すなわち、パネル側端に継手をネジ止めし、該継手の軸穴に軸棒又は軸パイプを挿通するだけでスタンドの組み付けが出来る。そして、スタンドを構成しているパネルの穴を利用して色々な物品を引掛けることが出来、又載置することも出来る。勿論、該物品には穴に係止することが出来る係止具(取付金具)を備えていなければ成らないが、簡単に取付けたり、取外したりすることが自在となる。そして，取付け・取外しに際してパネルには何らキズを付けることはない。
【００１１】
パネルは継手部を介してその向きは自由に変えることが出来、設置する場所に応じて適した形状のスタンドを簡単に構成することが可能である。ところで、パネルの連結手段としては、丸環に設けているネジをパネル側端に螺合して固定し、この丸環に軸棒を挿通するといった簡単な連結手段としている。ここで、パネル側端には細い溝を縦方向に設けていることで、丸環のネジを螺合して固定する位置がズレることはなく、継手部を簡単にしかも正確に作り上げることが出来る。
【実施例】
【００１２】
図１は本発明に係るスタンドを示す実施例である。同図の１ａ，１ｂ・・・はパネル、２ａ，２ｂ・・・もパネルを表しており、パネル２ａ，２ｂ・・・はその高さがパネル１ａ，１ｂ・・・より低く成っている。そして、３ａ，３ｂ・・・は継手部を示し、上記パネル１ａとパネル２ａは継手部３ａによって連結され、パネル１ａ，パネル１ｂ、パネル２ｂは継手部３ｂによって互いに連結され、又パネル１ｂ、パネル１ｃ、パネル２ｃは継手部３ｃによって連結され、パネル１ｃ、パネル１ｄ、パネル２ｄは継手部３ｄによって連結され、さらにパネル１ｄとパネル２ｅは継手部３ｅによって連結されている。
【００１３】
このように、上記継手部３ａ，３ｂ・・・によって連結された各パネル１ａ，１ｂ・・・、２ａ，２ｂ・・・は、その向きを自由に変えることが出来、すなわち、スタンドの形態は如何様にも変化する。同図のスタンドはパネル１ａ，１ｂ・・・がジグザグ状に連結され、各継手部３ａ，３ｂ・・・においてパネル２ａ，２ｂ・・・は正面側及び背面側へ延びるように配置されている。
【００１４】
ところで、このスタンドに用いられているパネル１ａ，１ｂ・・・、２ａ，２ｂ・・・は格子状を成し、竪框と横框にて枠組みされた枠体に複数本の縦格子桟と横格子桟とが縦方向と横方向に配列して構成している。従って、パネル１ａ，１ｂ・・・には縦格子桟と横格子桟によって複数の穴が形成されている。
【００１５】
図２はパネル１を単独で表している場合であり、２本の竪框４，４と２本の横框５，５が枠組みされた枠体には複数本の縦格子桟６，６・・・と複数本の横格子桟７，７・・・が縦方向と横方向に配列されて格子状を成し、各縦格子桟６，６・・・と横格子桟７，７・・・とで形成される穴８，８・・・が縦・横方向に配列している。ここで、各縦格子桟６，６・・の上下端は横框５，５に形成した溝穴に嵌合して取付けられ、同じく横格子桟７，７・・・の両端は竪框４，４に形成した溝穴に嵌っている。
【００１６】
図３は継手部３を構成する継手９の具体例であり、該継手９は丸環１０とネジ１１から成り、ネジ１１は丸環１０の半径外方向へ延びている。このネジ１１を丸環１０に固定する方法としては、溶接又はカシメなどによるが、本発明では固定方法を限定するものではない。そして、このネジ１１はパネル１ａ，１ｂ・・・、２ａ，２ｂ・・・の側端に沿って取付けられるが、その取付け位置がズレないようにパネル側端１２には細い溝１３が縦方向に形成されている。
【００１７】
ネジ１１はこの溝１３に嵌って螺合され、丸環１０は水平を成し、丸環１０の中心軸は縦桟４と平行になるように該丸環１０の向きが定められる。そして、隣り合うパネルにも同じように丸環１０が水平を成して取付けられるが、その高さは上方又は下方に位置し、僅かに違わせている。
【００１８】
図４はパネル１、１の竪框４、４に継手９，９・・・を取付け、この継手９，９・・・の丸環１０，１０・・・に軸パイプ１４を挿通した場合である。継手９，９・・・はパネル１、１の竪框４、４の上下部に取付けられ、そして丸環１０，１０・・・の軸穴１５，１５・・・に軸パイプ１４、１４が挿通されることで、隣り合うパネル１，１は連結される。同図ではパネル１，１は互いに垂直を成しているが、その向きは自由に変えることが出来る。
【００１９】
そして、配置したスタンドが移動しないように、軸パイプ１４を地中に埋め込むことも出来る。図５は図１におけるパネル１ａとパネル１ｂ及びパネル２ｂが継手部３ｂにて連結している場合であり、各々のパネル１ａ，１ｂ，２ｂに取付けた継手９，９・・・の軸穴１５，１５・・・に軸パイプ１４を挿入している。このように、本発明では２枚のパネルのみならず、３枚、４枚、時には５枚のパネルを１本の軸パイプ１４を介して連結することが可能である。
【００２０】
図６は本発明のスタッドに棚板を取付け、該棚板に鉢植えを載置した使用態様を表している具体例である。同図に示すスタンドは１枚のパネル１の両側に背丈の低いパネル２，２を連結し、パネル２，２はパネル１に対して垂直を成して正面側へ延びている。そして対向している両パネル２，２に棚板１６が掛架して水平に配置されている。この棚板１６の上に鉢植え１７が置かれている。
【００２１】
図７は棚板１６の取付け構造を示した具体例であり、（ａ）は棚板１６の下面に凹溝１８を設け、この凹溝１８にパネル２の横格子桟７を嵌めている。従って、両パネル２，２の向きが変わることはなく、棚板１６が外れ落ちることもない。（ｂ）は棚板１６の先端に取付金具１９を固定した場合で、該取付金具１９はパネル２の横格子桟７に係止して棚板１６が取付けられる。
【００２２】
（ｃ）は２枚の棚板１６，１６が取付金具２０によって連結されている場合であり、該取付金具２０は横格子桟７に係止される。すなわち、両棚板１６，１６の先端には取付金具１９，１９が取着され、中央において別のパネル２の横格子桟７に係止して支えることが出来る。そこで、図６のスタンドを対にした配列した構造となり、パネル１，１は継手部３を介して連結し、該継手部３にはパネル２を正面側に延ばしたスタンド形態となる。そこで、棚板１６，１６は３枚のパネル３，３，３に載って載置される。
【図面の簡単な説明】
【００２３】
【図１】本発明に係るスタンドを示す実施例。
【図２】スタンドを構成するパネルの具体例。
【図３】継手を示す具体例。
【図４】Ｌ形を成して連結したスタンドの継手部構造。
【図５】継手部を介して３方向へ延びるパネルの連結。
【図６】スタンドの使用態様を示す具体例。
【図７】棚板をパネル横格子桟に係止する取付け構造。
【符号の説明】
【００２４】
１  パネル
２  パネル
３  継手部
４  竪框
５  横框
６  縦格子桟
７  横格子桟
８  穴
９  継手
10  丸環
11  ネジ
12  パネル側端
13  溝
14  軸パイプ
15  軸穴
16  棚板
17  鉢植え
18  凹溝
19  取付金具
20  取付金具
【図１】
2009285291.tif 000003
【図２】
2009285291.tif 000004
【図３】
2009285291.tif 000005
【図４】
2009285291.tif 000006
【図５】
2009285291.tif 000007
【図７】
2009285291.tif 000008
【図６】
2009285291.tif 000009